(57)【要約】【課題】イジェクターと一体的に使用する弾性部材を利用して、仮保持状態におけるカードのロック力向上を図る。【解決手段】イジェクターは、カードを挿抜させるためにハウジング内でカードの挿抜方向沿いにカード挿入口から遠い側の保持位置と近い側の仮保持位置との間でカードとともにスライド移動可能であり、また、ハウジングに挿入されたカードのロック部にロックされ得る対応ロック部を有し、互いにロックされた状態でスライド移動可能である。カードが仮保持位置を越えてカード挿入口側へ動かされようとしたとき、カードの一部と対応ロック部との接触を通じて、対応ロック部がカード挿抜方向と交差する方向においてロック部から離間する側に移動し、これに連動して、対応ロック部の近傍と一体とされた弾性部材の端部がカード挿抜方向と交差する方向においてロック部から離間する側に移動する。【選択図】図１
2008166020.tif 000002
【特許請求の範囲】
【請求項１】
カード挿入口を通じて内部にカードを挿抜可能に収容させることができるカード用コネクタにおいて、
前記カードが収容されたときに前記カードと接触し得るコンタクトが配列されたハウジングと、
前記ハウジング内に設けられ、前記カードを挿抜させるために少なくとも前記カードの挿抜方向沿いに前記カード挿入口から遠い側の保持位置と前記カード挿入口に近い側の仮保持位置との間で前記カードとともにスライド移動可能なイジェクターと、
前記ハウジング内に設けられ、前記イジェクターと並行に前記カード挿抜方向に沿って配置され、前記イジェクターを前記保持位置から前記仮保持位置へ付勢する弾性部材と、を備え、
前記イジェクターは、前記カード挿抜方向において、前記カードが収容される前記ハウジング内の収容空間と前記弾性部材との間に位置付けられ、前記ハウジング内の収容空間に挿入された前記カードの前記カード挿抜方向沿いの一の側面に設けたロック部にロックされ得る対応ロック部を前記カード挿入口側に有し、前記ロック部と互いにロックされた状態で前記保持位置と前記仮保持位置との間をスライド移動可能とされており、
前記カードが前記仮保持位置を越えて前記カード挿入口側へ動かされようとしたときに、前記カードの前記カード挿抜方向沿いの一の側面の一部と前記対応ロック部との接触を通じて、前記対応ロック部が前記カード挿抜方向と交差する方向において前記ロック部から離間する側に移動し、これに連動して、前記弾性部材が前記カード挿抜方向と交差する方向において前記ロック部から離間する側に移動することにより、前記ロック部と前記対応ロック部の間のロックが解除されるようになっており、前記ロック部と前記対応ロック部との間のロック力は前記弾性部材を利用して制御されることを特徴とするカード用コネクタ。
【請求項２】
少なくとも前記ハウジングの上面を覆うカバーを有し、前記カード挿抜方向と交差する方向における前記ロック部から離間する側への前記対応ロック部の移動量を前記カバーの側面に設けた開口の大きさによって制御する請求項１記載のカード用コネクタ。
【請求項３】
前記カバーと前記ハウジングを利用して前記イジェクターのスライド位置を規制するため、上方又は下方に突出したスライドガイドを前記イジェクターに設け、上方に突出したスライドガイドに対応して前記カバーにガイドレールを設け、下方に突出したスライドガイドに対応して前記ハウジングにガイドレールを設け、更に、前記カード挿入口側に位置する前記カバーのガイドレールの一方と前記ハウジングのガイドレールの一方にそれぞれ前記ロック部から離間する側に向かって逃げを設けている請求項２記載のカード用コネクタ。
【請求項４】
前記イジェクターは、前記弾性部材と並行に前記カード挿抜方向に沿って延びる部分と、該部分から前記カード挿抜方向と交差する方向において前記ロック部から離間する側に延びる部分を有し、
前記弾性部材の前記カード挿入口側の端部と前記イジェクターの前記ロック部から離間する側に延びる部分が一体とされ、前記対応ロック部は、その近傍において、前記弾性部材の前記カード挿入口側の端部と一体とされ、前記カード挿入口側の端部と一体的に連動して前記カード挿抜方向と交差する方向において前記ロック部から離間する側に移動する請求項１乃至３のいずれかに記載のカード用コネクタ。  
【請求項５】
前記イジェクターは、前記カードの一の側面の側における前記カードの前壁を掴む掴み部を有し、前記対応ロック部は、前記掴み部付近を支点として、前記ロック部から離間する側に移動する請求項１乃至４のいずれかに記載のカード用コネクタ。
【請求項６】
前記弾性部材からみて前記ロック部から離間する側に前記カード挿抜方向に沿って側壁が設けられており、該側壁の一部に凹部を設けることにより、該凹部を利用して、前記弾性部材の端部は前記ロック部から離間する側に移動し、これに連動して前記対応ロック部は前記ロック部から離間する側に移動する請求項１乃至５のいずれかに記載のカード用コネクタ。
【請求項７】
前記弾性部材の端部が前記ロック部から離間する側に移動したときに前記弾性部材と前記側壁が衝突する位置を調節することによって前記ロック部と前記対応ロック部との間のロック力を制御する請求項６に記載のカード用コネクタ。
【請求項８】
請求項１乃至７のいずれかに記載のカード用コネクタにおいて、前記弾性部材はコイルバネであるカード用コネクタ。
【請求項９】
請求項１乃至８のいずれかに記載のカード用コネクタにおいて、前記イジェクターは金属から成るカード用コネクタ。
【発明の詳細な説明】
【技術分野】
【０００１】
本発明は、カード用コネクタ、特に、仮保持機構を備えたカード用コネクタに関する。
【背景技術】
【０００２】
ＳＤカード、メモリスティック等のカード類を機器の回路と接続するために、様々なタイプのカード用コネクタが開発されている。例えば、カードとともに移動することができるイジェクターを用いてカードの挿抜を容易にしたものがある。イジェクターはカード挿抜時に、バネ等の弾性力を利用してカードとともに所定量だけ移動する。この移動時にカードが不用意に飛び出すことを防止するため、イジェクターの急な移動時にはカードを仮保持することができるような仮保持構造が用いられることがある。例えば、特開２００１−３２６０２８号公報に開示されている従来公知のカード用コネクタでは、イジェクター自体にバネ性を持たせて、更に言えば、イジェクターの一部であるカードロック部をバネ形状とすることによって、このような仮保持構造を設けている。
【０００３】
【特許文献１】特開２００１−３２６０２８号公報
【発明の開示】
【発明が解決しようとする課題】
【０００４】
しかしながら、この従来公知のカード用コネクタのイジェクター構造では、イジェクターのカード引っ掛け部にバネ性を持たせて仮保持する構造となっているため、カード排出後の仮保持状態において、カードのロック力が不足し、逆にロックが強すぎてバネの変形やへたりが生じるといった問題があった。仮保持状態においてより確実なロック力を得るにはイジェクターを適切な形状とすることが必要であるが、カードやコネクタの小型化が進むにつれてどのような形状とすべきかの判断は困難なことが多く、この結果、仮保持状態において十分なロック力を得ることは不可能となっていた。
【０００５】
本願発明はこのような従来技術における問題点を解決するためになされたものであり、イジェクターの形状というよりはむしろ、これと一体的に使用する弾性部材（スプリング）を利用して、仮保持状態におけるカードのロック力向上を図ることを目的としたものである。
【課題を解決するための手段】
【０００６】
本発明は、カード挿入口を通じて内部にカードを挿抜可能に収容させることができるカード用コネクタにおいて、前記カードが収容されたときに前記カードと接触し得るコンタクトが配列されたハウジングと；前記ハウジング内に設けられ、前記カードを挿抜させるために少なくとも前記カードの挿抜方向沿いに前記カード挿入口から遠い側の保持位置と前記カード挿入口に近い側の仮保持位置との間で前記カードとともにスライド移動可能なイジェクターと；前記ハウジング内に設けられ、前記イジェクターと並行に前記カード挿抜方向に沿って配置され、前記イジェクターを前記保持位置から前記仮保持位置へ付勢する弾性部材と、を備え；前記イジェクターは、前記カード挿抜方向において、前記カードが収容される前記ハウジング内の収容空間と前記弾性部材との間に位置付けられ、前記ハウジング内の収容空間に挿入された前記カードの前記カード挿抜方向沿いの一の側面に設けたロック部にロックされ得る対応ロック部を前記カード挿入口側に有し、前記ロック部と互いにロックされた状態で前記保持位置と前記仮保持位置との間をスライド移動可能とされており；前記カードが前記仮保持位置を越えて前記カード挿入口側へ動かされようとしたときに、前記カードの前記カード挿抜方向沿いの一の側面の一部と前記対応ロック部との接触を通じて、前記対応ロック部が前記カード挿抜方向と交差する方向において前記ロック部から離間する側に移動し、これに連動して、前記弾性部材が前記カード挿抜方向と交差する方向において前記ロック部から離間する側に移動することにより、前記ロック部と前記対応ロック部の間のロックが解除されるようになっており、前記ロック部と前記対応ロック部との間のロック力は前記弾性部材を利用して制御されることを特徴としている。
【０００７】
上記カード用コネクタにおいて、少なくとも前記ハウジングの上面を覆うカバーを有し、前記カード挿抜方向と交差する方向における前記ロック部から離間する側への前記対応ロック部の移動量を前記カバーの側面に設けた開口の大きさによって制御してもよい。
【０００８】
また、上記カード用コネクタにおいて、前記カバーと前記ハウジングを利用して前記イジェクターのスライド位置を規制するため、上方又は下方に突出したスライドガイドを前記イジェクターに設け、上方に突出したスライドガイドに対応して前記カバーにガイドレールを設け、下方に突出したスライドガイドに対応して前記ハウジングにガイドレールを設け、更に、前記カード挿入口側に位置する前記カバーのガイドレールの一方と前記ハウジングのガイドレールの一方にそれぞれ前記ロック部から離間する側に向かって逃げを設けてもよい。
【０００９】
更に、前記イジェクターは、前記弾性部材と並行に前記カード挿抜方向に沿って延びる部分と、該部分から前記カード挿抜方向と交差する方向において前記ロック部から離間する側に延びる部分を有し、前記弾性部材の前記カード挿入口側の端部と前記イジェクターの前記ロック部から離間する側に延びる部分が一体とされ、前記対応ロック部は、その近傍において、前記弾性部材の前記カード挿入口側の端部と一体とされ、前記カード挿入口側の端部と一体的に連動して前記カード挿抜方向と交差する方向において前記ロック部から離間する側に移動するようになっていてもよい。
【００１０】
更に、上記カード用コネクタにおいて、前記イジェクターは、前記カードの一の側面の側における前記カードの前壁を掴む掴み部を有し、前記対応ロック部は、前記掴み部付近を支点として、前記ロック部から離間する側に移動するものであってもよい。
【００１１】
更に、上記カード用コネクタにおいて、前記弾性部材からみて前記ロック部から離間する側に前記カード挿抜方向に沿って側壁が設けられており、該側壁の一部に凹部を設けることにより、該凹部を利用して、前記弾性部材の端部は前記ロック部から離間する側に移動し、これに連動して前記対応ロック部は前記ロック部から離間する側に移動するものであってもよい。
【００１２】
更にまた、上記カード用コネクタにおいて、前記弾性部材の端部が前記ロック部から離間する側に移動したときに前記弾性部材と前記側壁が衝突する位置を調節することによって前記ロック部と前記対応ロック部との間のロック力を制御するものであってもよい。
【００１３】
また、上記カード用コネクタにおいて、前記弾性部材（７０）はコイルバネであってもよし、前記イジェクターは金属から成っていてもよい。
【発明を実施するための最良の形態】
【００１４】
添付図面を参照しつつ、本願発明の好ましい一つの実施形態によるカード用コネクタを説明する。この一実施形態のカード用コネクタは、いわゆるプッシュ・プッシュ型と呼ばれるタイプのものである。
【００１５】
図１に、本願発明のカード用コネクタ１の完成斜視図、図２に、その分解斜視図、図３に、図１からカバー３０を除いた裏側の斜視図、図４（ａ）乃至（ｃ）に、図１等に示されたイジェクター５０の上面、正面、横面を、それぞれ示す。
【００１６】
このカード用コネクタ１は、主に、樹脂性のハウジング１０と、このハウジング１０内に収容される金属製のコンタクト２０及びイジェクター５０と、イジェクター５０と関連付けてハウジング１０内に収容される金属製のスプリング７０及びピン８０と、ハウジング１０の上部及び側面を覆う金属製のカバー３０から成る。
【００１７】
カード挿入口５は、カード用コネクタ後方の一の側面を開放して形成してある。このカード挿入口５を通じて、ハウジング１０内にカードを収容させることができ、また、カード挿抜方向（図１の矢印Ａ方向）においてカードを自由に挿抜させることができる。大小いずれのカードも使用できるが、ｍｉｎｉＳＤ、ｍｉｃｒｏＳＤといった小型のカードに使用した場合に特に大きな効果を期待できる。カード用コネクタ１は、このようなカードの大きさに合わせて小さく設計することもできる。
【００１８】
ハウジング１０は、カード用コネクタ１のベースを成す部分であり、カード挿抜方向に沿って延びる比較的幅広の腕部１５と、これと対にして同方向に延びる比較的細い腕部２９と、これら腕部１５と腕部２９の間を前方でつなぐ前板２６及び中間でつなぐ中間板２８から成る。腕部１５は、イジェクター５０、スプリング７０、ピン８０が配置される平面部１６と、その外側に側壁４０を有する。腕部２９は棒状であり、このためハウジング１０の腕部２９側の側面は開放状態とされている。前板２６には、ハウジング１０の前方を実質的に塞ぐ前壁１７が設けてあり、中間板２８には、カード挿抜方向に複数のコンタクト２０を配列させることができる複数の圧入部１１が設けてある。
【００１９】
コンタクト２０は、ハウジング１０に設けた複数の圧入部１１へ、カード挿抜方向沿いに基板設置部２１側から挿入され、互いに平行に配列される。カード３がカード用コネクタ１に収容されたとき、カード側の各パッド（図示されていない）は対応する各コンタクト２０と接触し得る。圧入部１１に設置されたコンタクト２０の接触部２２は、カード３側のパッドとの接触が確実になされるよう上方に多少変位した状態としてある。
【００２０】
カバー３０は、ハウジング１０の前方、上方及び左右を覆う。カバー３０でハウジング１０を覆ったときに初めてハウジング１０は略箱状のカード用コネクタとして形成される。このとき、開放状態とされていたハウジング１０の腕部２９側の側面もカバー３０の側面４４によって覆われる。カード３がカード用コネクタ１に収容されたとき、又はカード３の挿抜時において、カード３の一方の側面は、側面４４の内壁４６によって支持される。ハウジング１０に対するカバー３０の固定は、側面４４の縁４７を腕部２９の底部に引っ掛けた状態とし、もう一方の側面４５に設けた複数の係止穴３１に、ハウジング１０の腕部１５に配置した側壁４０の係止突起１６をパッチン止めすること等によって行うことができる。カバー３０の上面には、カードの飛び出しや上下方向におけるガタつきを防止する押さえバネ３８の他、イジェクター５０のスライド運動をガイドするガイドレール３２ａ、３２ｂが設けてある。
【００２１】
スプリング７０は、イジェクター５０を付勢するために使用される。好ましい弾性部材の１つとして、例えば、コイルバネが用いられ、ハウジング１０の腕部１５にカード挿抜方向に沿ってイジェクター５０と並行に弾性変位可能な状態で設置される。ハウジング１０にスプリング７０を位置決めするため、ハウジング１０には、カード抜出側に突出した状態でスプリング保持部７２が設けてある。このスプリング保持部７２によってスプリング７０の一端７１の空洞部に挿入した状態で、また、スプリング７０の上部を覆うように設けた支持部２４によって、スプリング７０はハウジング１０の所定位置に設置される。
【００２２】
カード３を挿抜させるため、イジェクター５０はカードとロックされた状態で、ハウジング１０内部をカード挿抜方向に沿ってカードと一体的にスライド移動し得る。イジェクター５０は、カード挿抜方向において、カード３が収容されるハウジング１０内の収容空間１３と弾性部材７０との間に位置付けられている。カード挿抜方向沿いにおける移動範囲は、実質的に、カード挿入口５から遠い側の保持位置（後述する図５に示す位置）とカード挿入口５に近い側の仮保持位置（後述する図６乃至図８等に示す位置）の間であり、カードの挿抜に伴って、これらの間を自由に循環し得る。特に、イジェクター５０が仮保持位置にあるときは、保持状態或いは仮保持状態を解除してカードの引き抜きを可能とするため、カード挿入口５側（前方）へ延びる部分が、ハウジング１０の収容空間１３に収容されたカード３から離間する側（カード３の凹部４から離間する側）に移動するようになっている。保持位置及び仮保持位置のいずれの位置にあるときも、イジェクター５０は、ハウジング１０に収容されたカード３とスプリング７０の間に位置付けられ、また、スプリング７０によって保持位置から仮保持位置へ向かって付勢されている。
【００２３】
イジェクター５０は、例えば、一枚の金属を打ち抜き、折り曲げすることによって形成できる。その材質は剛性のものであっても、バネ性を有する軟性のものであってもよい。イジェクター５０には、基端部５１と、この基端部５１を中心としてスプリング７０と並行にカード挿抜方向に沿って延びる部分、即ち、カード３の凸部（７）の形状に適合するよう基端部５１からカード挿入口５側（前方側）に延びるとともにハウジング１０に収容されたカード３から離間する側に傾斜した前方傾斜部５８、及び、この前方傾斜部５８から連続した状態でカード挿入口５側へ延びる前方延長部６１と、これら前方傾斜部５８及び前方延長部６１と連続した状態でハウジング１０に収容されたカード３から離間する側（カード３の凹部４から離間する側）に延び且つハウジング１０に収容されたカード３の側に戻るように折り曲げられたＵ字部５９と、カード挿入口５側とは逆側（後方側）へ延びる後方延長部６２と、更に、基端部５１からカード挿抜方向と略直交する方向にハウジング１０に収容されたカード３から離間する側に延びる水平突出部５６が含まれる。尚、前方傾斜部５８、Ｕ字部５９、前方延長部６１は、全て、下部折曲部６５によって互いに接続されており、また、それらの側面同士を互いに接触した状態とされている。イジェクター５０がハウジング１０内に設置されたとき、イジェクター５０の一部を構成するＵ字部５９の後方延長部６６は、その底面６７においてハウジング１０の一部を構成する側壁４０の支持面４２にスライド可能に支持された状態とされる。
【００２４】
特に、前方延長部６１には、カードの所定位置（カード３の凹部４）に嵌まってカードをロックし得る対応ロック部として形成された凸部５４が形成してあり、また、水平突出部５６には、ピン８０を遊嵌させることができるピン穴５５が設けてある。また、後方延長部６２の端部には、ハウジング１０に収容されたカード３（カード３の凹部４）側に略直角に折り曲げた状態で掴み部６４が形成してあり、また、Ｕ字部５９のＵ字中央位置、即ち、凸部５４の近傍には、スプリング７０の一端７１（図２）を保持するハウジング１０のスプリング保持部７２と同様の方法でカード挿入口５側の他端７３を保持してイジェクター５０とスプリング７０を一体とするようなスプリング保持部７４が設けてある。このように、Ｕ字部５９の内側にスプリング７０の他端７３を収容し、且つ、スプリング保持部７４を他端７３の空洞部に挿入して装着するようにしたことにより、カード挿入口５側に設けたイジェクター５０の凸部５は、反カード側（カード３設けられた側とは反対側）の近傍７４においてカード挿入口５側のスプリング７４の他端７３と一体とされる。この結果、凸部５４がカード挿抜方向と交差する方向において凹部４から離間する側に移動すると、これに連動して、スプリング７０の他端７３もハウジング１０に収容されたカード３から離間する側（カード３の凹部４から離間する側）に一体的に移動する。ただし、この場合でも、以下に説明するように、カード挿入口５から遠い側に設けた掴み部６４の位置は略そのまま変わらない。
【００２５】
ハウジング１０におけるイジェクター５０のスライド位置は、例えば、カバー３０とハウジング１０を利用して規制され得る。スライド位置を規制するため、イジェクター５０には、計４個の上方若しくは下方に突出した部分が設けてある。即ち、掴み部６４の上部にスライドガイド５２ａが、また、前方延長部６１とＵ字部５９の境界付近におけるＵ字部５９の上部にスライドガイド５２ｂが、更に、掴み部６４手前の後方延長部６２の下部にスライドガイド５２ｃが、更に、Ｕ字部５９の対向位置付近に下部折曲部６５がスライドガイド５２ｄとして、それぞれ上方又は下方に突出した状態で形成してある。上方に突出したスライドガイド５２ａ、５２ｂに対応して、カバー３０には、ガイドレール３２ａ、３２ｂが、下方に突出したスライドガイド５２ｃとスライドガイド５２ｄに対応して、ハウジング１０の腕部１５には、ガイドレール１２ｃ、１２ｄが、それぞれ設けられている。イジェクター５０やカバー３０がハウジング１０の所定位置に設置されたとき、イジェクター５０のスライドガイド５２ｃ、５２ｄは、それぞれ、ハウジング１０のガイドレール１２ｃ、１２ｄに係合し、また、スライドガイド５２ａ、スライドガイド５２ｂは、それぞれ、カバー３０のガイドレール３２ａ、３２ｂに係合し得る。また、これと同時に、イジェクター５０のＵ字部５９のうち、特に後方に延びる部分、即ち、後方延長部６６の底面６７は、側壁４０の前方側上部を取り除くことによって形成された支持面４２によって支持され得る。尚、イジェクター５０が仮保持位置にあるときに、カードの引き抜きを可能とするため、カード挿入口５側へ延びる部分が、ハウジング１０に収容されたカード３から離間する側（カード３の凹部４から離間する側）に移動し得るようになっており、このため、カード挿入口５側に位置するカバー３０のガイドレール３２ｂとハウジング１０のガイドレール１２ｄにそれぞれ、ハウジング１０に収容されたカード３から離間する側（カード３の凹部４から離間する側）に向かって逃げ３４、１４が設けられている。
【００２６】
ピン８０は、ハートカム機構１８と協働してイジェクター５０の動きを制御する。ピン８０の先端中央には、下方に向かって半円状に折り曲げることによってイジェクター係止部８１が形成してある。イジェクター係止部８１を、イジェクター５０の水平突出部５６に設けたピン穴５５に引っ掛けることによって、ピン８０をイジェクター５０に軽く係止することができる。一方、ピン８０の後端には、端部を下方に略直角に折り曲げることによってハートカム係止部８２が形成してある。このハートカム係止部８２を、カードの挿抜方向沿いに形成されたハートカム機構１８のカム溝１９の上に軽く設置した状態で摺動させるようにして、ハートカムの作用はイジェクター５０に伝達される。カム溝１９上を摺動するピン８０の浮き上がりは、カバー３０によって防止される。ハートカムの作用は従来一般のものと同じであるから、ここでは、これ以上説明しない。
【００２７】
次いで、図５乃至図１０を参照し、カード挿抜時におけるカード用コネクタ１の一連の動作を説明する。特に、図５乃至図８は、これら一連の動作を説明するために、カード用コネクタ１からカバー３０を取り除いた上面図で示しており、ここで図５は、保持状態、図６は、この保持状態を解除した後の仮保持状態、図７は、カードを引き抜いて仮保持状態を解除している最中の状態、図８は、仮保持状態が解除された状態をそれぞれ示す。更に、図９は、図７の状態を斜視図として、図１０は、カバー３０を取り付けた状態で、それぞれ示したものである。
【００２８】
イジェクター５０によるロックを可能とするため、カード挿抜方向沿いのカード３の一の側面８に凹部４が設けてある。カード３の実際の使用時には、図５に示す保持状態とされる。このとき、カード３の凹部（ロック部）４は、イジェクター５０の凸部（対応ロック部）５４が嵌まった状態、つまり、ロック状態とされる。カード３を引き出す（排出する）際は、一旦、カード３を図示矢印Ｂ方向に向かってハウジング１０内部に押し込む。この押し込みを急に解除すると、主にハートカム機構１８やスプリング７０の作用によって、カード３は、図６に示す矢印Ｃ方向に向かって外部に向かって所定の勢いで飛び出す。このような場合であっても、図６に示す仮保持状態にあるときは、イジェクター５０の凸部５４がカード３の凹部４に嵌まったままであることから、カード３がハウジング１０の外部に飛び出してしまうことはない。つまり、このカード用コネクタ１では、凹部４と凸部５４が互いにロックされた状態のまま、カード３はカード挿抜方向に沿って、図５に示す保持位置と図６に示す仮保持位置との間をスライド移動し得る。図６の仮保持状態にあるときに、仮保持位置を越えて、更に、カード３をカード挿入口５側へ引き抜こうとすると、図７に示すごとく、凹部４に隣接して設けたカード３の凸部７が凸部５４と接触し、この接触を通じてイジェクター５０がその前方部分であるスライドガイド５２ｃ、及び／又は、５２ａ、更にはカードとの当接部分を支点として回動し、凹部４に嵌まった凸部５４がカード挿抜方向と交差する方向において凹部４から離間する側に図示矢印Ｄ方向に移動して、カード３の凹部４とイジェクター５０の凸部５４との間のロック状態は解除される。明らかなように、この凸部５４の移動（回動）は、カード３の一の側面８の側におけるカード３の前面６を掴むイジェクター５０に設けた掴み部６４付近を支点として実行される、換言すれば、イジェクター５０の側壁方向への移動の支点は、スライドガイド５２ｃがガイドレール１２ｃに規制されることで得られる。尚、仮保持位置を超えるイジェクター５０の移動は、イジェクター５０のＵ字部５９の前壁６８とハウジング１０の腕部１５の衝突面６９との衝突によって規制される。図８は、図７に示す状態から更に、凸部７と凸部５４の接触状態が解かれて、仮保持状態が完全に解除された状態を示す。特に、図６、図７において、凸部５４は、スプリング７０の一方の端部（他端）７３と連動して一体的に移動している点に注意していただきたい。即ち、仮保持状態からカード３を引き抜く際、スプリング７０の端部７３は、凸部５４の近傍、例えば、イジェクター５０全体が剛体として扱われている場合はスプリング７０はイジェクター５０の側方に、イジェクター５０の凸部５４自体がイジェクター５０からたわむ場合はスプリング７０は凸部５４の側方に、存在すればよい。これらの場合、イジェクター５０とスプリング７０の端部７３は、一体的に連動して、凹部４から離間する側に移動し得る。スプリング７０の端部７３近傍は、スプリング７０やイジェクター５０が離間方向に移動可能なように、底面側が平坦面とされ側壁側が開放されて凹部４３を形成している。スプリング７０についてみれば、その一部分である一方の端部７３のみが、そのような方向へ可動可能な構造とされていることから、この可動変位時におけるスプリング７０の端部７３における反力を利用することによって、カード３の仮保持状態におけるロック力を確保できる、換言すれば、凹部４と凸部５４との間のロック力を、スプリング７０を利用して制御できる。例えば、スプリング７０を太いコイルで形成した場合、そのようなスプリング７０によって発揮され得るスプリング７０の端部７３の可動方向における力、即ち、仮保持状態におけるロック力は強くなり、逆に、細いコイルで形成した場合、そのようなスプリング７０によって発揮され得るロック力は弱くなり、また、凹部４３を小さく設定した場合、スプリング７０のバネ長が短くなるため仮保持状態におけるロック力は強くなり、逆に、大きく設定した場合、ロック力は弱くなる。この点に関して、従来の一般的な構成では、これらの解除力は、主として、イジェクター５０の剛性を調整することのみによって行われていたため、その設定が困難であったが、本願のカード用コネクタ１のような構成とすることにより、制御された方法で、このようなロック力、すなわちロックを解除するための解除力を設定することが可能である。
【００２９】
イジェクター５０やスプリング７０の端部７３が凹部４から離間する側に移動する際、スプリング７０の端部７３付近が、凹部４から離間する側にカード挿抜方向に沿って設けた壁壁４０と衝突してしまうのを防止するため、カード挿入口５側の一部に、例えば切り欠きのような凹部４３が設けてある。このような凹部４３を設けることにより、スプリング７０の端部７３と側壁４０との衝突を避けることができる。更に、この凹部４３に関連して、凹部４３の大きさを調整することにより、スプリング７０と側壁４０の内壁面が衝突する位置２３（図８参照）、換言すれば、スプリング７０の端部７３が側壁４０から飛び出す量を適当に調節することができ、凹部４と凸部５４との間のロック力を制御することもできる。更に、図１０に示すように、凸部５４の移動量をカバー３０の側面に設けた開口３３の大きさによって制御することもできる。更に、開口３３内に舌片３６（図２に点線で示す）を設けて制御することもできる。このことは、開口３３を通じてイジェクター５０の後方延長部６６がハウジング１０等の外部に飛び出す量を調節することにより、凹部４と凸部５４との間のロック力を制御することもできることを意味する。以上の構成により、カード取り出し（排出）時のカードの飛び出しを防止できる一方で、カード挿入時には確実なカードロック（完全ロック）ができる。
【図面の簡単な説明】
【００３０】
【図１】本願発明によるカード用コネクタの完成斜視図である。
【図２】図１のカード用コネクタの分解斜視図である。
【図３】図１からカバーを除いた裏側の斜視図である。
【図４】図１等に示されたイジェクターの上面、正面、横面である。
【図５】保持状態を示す図である。
【図６】保持状態を解除した後の仮保持状態を示す図である。
【図７】カードを引き抜いて仮保持状態を解除している最中の状態を示す図である。
【図８】仮保持状態が解除された状態を示す図である。
【図９】図７の状態の斜視図である。
【図１０】図７の状態をカバーを取り付けた状態で示した図である。
【符号の説明】
【００３１】
１  カード用コネクタ
３  カード
４  凹部（ロック部）
５  カード挿入口
６  前面
６’  支点
７  凸部
８  一の側面
１０  ハウジング
１１  圧入部
１２ｃ、ｄ  ガイドレール
１３  収容空間
１４  逃げ
１５  腕部
１６  平面部
１７  前壁
１８  ハートカム機構
１９  カム溝
２０  コンタクト
２１  基板設置部
２２  接触部
２３  衝突位置
２４  支持部
２６  前板
２８  中間板
２９  腕部
３０  カバー
３１  係止穴
３２ａ、ｂ  ガイドレール
３３  開口
３４  逃げ
３８  押さえバネ
４０  側壁
４２  支持面
４３  凹部
４４  側面
４５  側面
４６  内壁
４７  縁
５０  イジェクター（ロック部）
５１  基端部
５２ａ−ｄ  スライドガイド
５４  凸部（カードロック部）
５５  ピン穴
５６  水平突出部
５８  前方傾斜部
５９  Ｕ字部
６１  前方延長部
６２  後方延長部
６４  掴み部
６５  下部折曲部
６６  後方延長部
６７  底面
６８  前壁
６９  衝突面
７０  スプリング
７１  一端
７２  スプリング保持部
７３  他端
７４  スプリング保持部
８０  ピン
８１  イジェクター係止部
８２  ハートカム係止部
９１  傾斜面
９２  直交面
【図１】
2008166020.tif 000003
【図２】
2008166020.tif 000004
【図３】
2008166020.tif 000005
【図４】
2008166020.tif 000006
【図５】
2008166020.tif 000007
【図６】
2008166020.tif 000008
【図７】
2008166020.tif 000009
【図８】
2008166020.tif 000010
【図９】
2008166020.tif 000011
【図１０】
2008166020.tif 000012